(57)【要約】【課題】地震発生時に容易に自動転倒して点灯し、安全灯として機能する。【解決手段】乾電池２を内蔵した電灯本体３に手動スイッチ４を設け、この手動スイッチ４のオンで点灯回路を閉じて照明部５を点灯する懐中電灯１において、水平面等に載置することで所定震度まで自立立設可能な載置部６ａを形成し、この載置部６ａに、電灯本体３の自立立設状態で自立自重によって後退して手動スイッチ４のオン状態で点灯回路をオフして消灯し、電灯本体３の傾倒状態で突出して手動スイッチ４のオン状態で点灯回路をオンして点灯する進退自在スイッチ８を備える。【選択図】図５
2004031315.tif 000002
【特許請求の範囲】
【請求項１】
乾電池を内蔵した電灯本体に手動スイッチを設け、この手動スイッチのオンで点灯回路を閉じて照明部を点灯する懐中電灯において、
水平面等に載置することで所定震度まで自立立設可能な載置部を形成し、
この載置部に、前記電灯本体の自立立設状態で自立自重によって後退して前記手動スイッチのオン状態で前記点灯回路をオフして消灯し、前記電灯本体の傾倒状態で突出して前記手動スイッチのオン状態で前記点灯回路をオンして点灯する進退自在スイッチを備えることを特徴とする懐中電灯。
【請求項２】
前記載置部に重りを設けたことを特徴とする請求項１に記載の懐中電灯。
【発明の詳細な説明】
【０００１】
【発明の属する技術分野】
この発明は、地震時に自動的に点灯する懐中電灯に関するものである。
【０００２】
【従来の技術】
地震時には、停電することがあるため、自宅では、懐中電灯を所定場所に置いている。また、ホテルや旅館等でも、懐中電灯が部屋内や廊下等の所定場所に置かれている（例えば特許文献１）。
【０００３】
【特許文献１】
意匠登録第０７９８９８９号公報
【０００４】
【発明が解決しようとする課題】
ところで、地震の発生によって停電すると、懐中電灯の載置場所がわからなかったり、あるいは懐中電灯が地震によって転がって所定場所から移動することがあるため、すぐに懐中電灯を見付けて点灯することが困難であった。
【０００５】
この発明は、かかる点に鑑みてなされたもので、地震発生時に容易に自動転倒して点灯し、安全灯として機能する懐中電灯を提供することを目的としている。
【０００６】
【課題を解決するための手段】
前記課題を解決し、かつ目的を達成するために、この発明は、以下のように構成した。
【０００７】
請求項１に記載の発明は、乾電池を内蔵した電灯本体に手動スイッチを設け、この手動スイッチのオンで点灯回路を閉じて照明部を点灯する懐中電灯において、
水平面等に載置することで所定震度まで自立立設可能な載置部を形成し、
この載置部に、前記電灯本体の自立立設状態で自立自重によって後退して前記手動スイッチのオン状態で前記点灯回路をオフして消灯し、前記電灯本体の傾倒状態で突出して前記手動スイッチのオン状態で前記点灯回路をオンして点灯する進退自在スイッチを備えることを特徴とする懐中電灯である。
【０００８】
この請求項１に記載の発明によれば、手動スイッチのオン状態にして載置部をテーブル上等に載置すると、進退自在スイッチが懐中電灯の自立立設状態で自立自重によって後退して点灯回路をオフして消灯する。この状態で、地震が発生し、所定震度以上になると、懐中電灯の傾倒状態で進退自在スイッチが突出して点灯回路がオンし、地震発生時に容易に自動転倒して点灯し、安全灯として機能する。
【０００９】
請求項２に記載の発明は、前記載置部に重りを設けたことを特徴とする請求項１に記載の懐中電灯である。
【００１０】
この請求項２に記載の発明によれば、載置部に重りを設けたことで、電灯本体の自立立設状態が安定し、かつ所定震度で確実に倒れることができる。
【００１１】
【発明の実施の形態】
以下、この発明の懐中電灯の実施の形態を図面に基づいて詳細に説明するが、この発明は、この実施の形態に限定されない。
【００１２】
図１は懐中電灯の正面図、図２は懐中電灯の側面図、図３は懐中電灯の底面図、図４は懐中電灯の断面図、図５は懐中電灯の要部の拡大断面図、図６は点灯回路図、図７は懐中電灯の使用状態を示す図である。
【００１３】
この実施の形態の懐中電灯１には、乾電池２を内蔵した電灯本体３に手動スイッチ４が設けられ、電灯本体３が電気を流すことが可能な金属で形成され、電灯本体３が電気回路の一部を構成している。電灯本体３に設けた手動スイッチ４のオンで点灯回路Ａを閉じて照明部５を点灯する。
【００１４】
この電灯本体３には、乾電池２の出し入れを行なう蓋体６が設けられ、この蓋体６を閉じることでバネ接片７が乾電池２に接触して点灯回路Ａに乾電池２が接続される。
【００１５】
この蓋体６には、水平面等に載置することで所定震度まで自立立設可能な載置部６ａを形成されている。この載置部６ａは、所定面積の平面に形成され、例えば震度３までの地震の発生では傾倒しないが、これ以上の震度の地震の発生で傾倒する。
【００１６】
また、蓋体６には、進退自在スイッチ８が載置部６ａから突出可能に設けられ、この進退自在スイッチ８はコイル状の付勢バネ９によって常に点灯回路Ａの接点１０を閉じる方向に付勢されている。
【００１７】
この懐中電灯１は、図７（ａ）に示すように、手動スイッチ４のオン状態にして載置部６ａをテーブル上２０等に載置すると、進退自在スイッチ８が懐中電灯１の自立立設状態で自立自重によって付勢バネ９に抗して後退し、手動スイッチ４が点灯回路の接点１０から離れて点灯回路Ａをオフして消灯する。
【００１８】
この状態で、地震が発生し、所定震度以上になると、懐中電灯１が図７（ｂ）に示すように、傾倒する。この懐中電灯１の傾倒状態で進退自在スイッチ８が付勢バネ９によって突出し、手動スイッチ４が点灯回路Ａの接点１０に接して点灯回路Ａがオンし、地震発生時に容易に自動転倒して点灯し、安全灯として機能する。
【００１９】
この懐中電灯１は、図８に示すように、電灯本体３の内部に１個の乾電池２を内蔵したものでも同様に適用でき、あるいは図９に示すように、電灯本体３の内部に複数個の乾電池２を並列に接続して内蔵したものでも同様に適用できる。
【００２０】
また、懐中電灯１は、図１０に示すように、進退自在スイッチ８を板状の付勢バネ９によって常に点灯回路の接点１０を閉じる方向に付勢されるが、板状の付勢バネ９の付勢力が弱い場合には、コイル状の付勢バネを追加してもよい。
【００２１】
図１１乃至図１６に示す懐中電灯は、図１乃至図７に示す実施の形態の懐中電灯の載置部６ａに重り２０を設けたものである。この実施の形態の懐中電灯１は、蓋体６の載置部６ａに円形孔２０ａを中心に有する円板状の重り２０が埋め込まれており、この重り２０によって電灯本体３の自立立設状態が安定し、かつ所定震度で確実に倒れることができる。
【００２２】
図１７に示す懐中電灯は、図８に示す実施の形態の懐中電灯の載置部６ａに重り２０を設けたものであり、図１８示す懐中電灯は、図９に示す実施の形態の懐中電灯の載置部６ａに重り２０を設けたものであり、図１９に示す懐中電灯は、図１０に示す実施の形態の懐中電灯の載置部６ａに重り２０を設けたものであり、いずれも蓋体６の載置部６ａに円形孔２０ａを中心に有する円板状の重り２０が埋め込まれており、この重り２０によって電灯本体３の自立立設状態が安定し、かつ所定震度で確実に倒れることができる。
【００２３】
図２０は懐中電灯の他の実施の形態を示す図である。この実施の形態の懐中電灯１は、蓋体６に支持ホルダ５０が挿着され、支持ホルダ５０に設けたバネ接片７が乾電池２に接触している。
【００２４】
支持ホルダ５０には、進退自在スイッチ８がコイル状の付勢バネ５１によって載置部６ａから突出する方向に付勢されている。この進退自在スイッチ８には、点灯回路の接点５２が設けられ、この接点５２が接続接点５３，５４に接するようになっている。
【００２５】
この接続接点５３の一端部５３ａはバネ接片７に接続され、他端部５３ｂには接点５２が接したり、離れたりする。また、接続接点５４の一端部５４ａは、電灯本体３に蓋体６を螺着した状態で接続し、他端部５４ｂには接点５２が接したり、離れたりする。
【００２６】
この蓋体６の載置部６ａには円形孔２０ａを中心に有する円板状の重り２０が埋め込まれている。
【００２７】
図２０（ａ）の状態では、進退自在スイッチ８がコイル状の付勢バネ５１によって載置部６ａから突出する方向に付勢され、接点５２が接続接点５３の他端部５３ｂに接続すると共に、接続接点５４の他端部５４ｂに接続するから、手動スイッチ４のオンで点灯回路Ａを閉じて照明部５を点灯する。
【００２８】
図２０（ｂ）の自立立設状態では、進退自在スイッチ８がコイル状の付勢バネ５１に抗して内側に押され、接点５２が接続接点５３の他端部５３ｂから離れると共に、接続接点５４の他端部５４ｂから離れるから、手動スイッチ４のオンで点灯回路Ａを閉じて照明部５を点灯するようにしていても、進退自在スイッチ８で点灯回路Ａを開き照明部５が点灯しない。
【００２９】
この自立立設状態では、重り２０によって電灯本体３の自立立設状態が安定し、かつ所定震度で確実に倒れることができる。
【００３０】
この懐中電灯１が所定震度で倒れると、図２０（ａ）のように、進退自在スイッチ８がコイル状の付勢バネ５１によって載置部６ａから突出する方向に付勢され、接点５２が接続接点５３の他端部５３ｂに接続すると共に、接続接点５４の他端部５４ｂに接続するから、手動スイッチ４のオンで点灯回路Ａを閉じて照明部５を点灯する。
【００３１】
【発明の効果】
前記したように、請求項１に記載の発明では、手動スイッチのオン状態にして載置部をテーブル上等に載置すると、進退自在スイッチが懐中電灯の自立立設状態で自立自重によって後退して点灯回路をオフして消灯する。この状態で、地震が発生し、所定震度以上になると、懐中電灯の傾倒状態で進退自在スイッチが突出して点灯回路がオンし、地震発生時に容易に自動転倒して点灯し、安全灯として機能する。
【００３２】
請求項２に記載の発明では、載置部に重りを設けたことで、電灯本体の自立立設状態が安定し、かつ所定震度で確実に倒れることができる。
【図面の簡単な説明】
【図１】懐中電灯の正面図である。
【図２】懐中電灯の側面図である。
【図３】懐中電灯の底面図である。
【図４】懐中電灯の断面図である。
【図５】懐中電灯の要部の拡大断面図である。
【図６】点灯回路図である。
【図７】懐中電灯の使用状態を示す図である。
【図８】他の実施の形態の懐中電灯の正面図である。
【図９】他の実施の形態の懐中電灯の正面図である。
【図１０】他の実施の形態の進退自在スイッチ構造を示す断面図である。
【図１１】懐中電灯の他の実施の形態の正面図である。
【図１２】懐中電灯の他の実施の形態の側面図である。
【図１３】懐中電灯の他の実施の形態の底面図である。
【図１４】懐中電灯の他の実施の形態の断面図である。
【図１５】懐中電灯の他の実施の形態の要部の拡大断面図である。
【図１６】懐中電灯の他の実施の形態の使用状態を示す図である。
【図１７】他の実施の形態の懐中電灯の正面図である。
【図１８】他の実施の形態の懐中電灯の正面図である。
【図１９】他の実施の形態の進退自在スイッチ構造を示す断面図である。
【図２０】他の実施の形態の進退自在スイッチ構造を示す断面図である。
【符号の説明】
１　懐中電灯
２　乾電池
３　電灯本体
４　手動スイッチ
５　照明部
６　蓋体
６ａ　載置部
８　進退自在スイッチ
【図１】
2004031315.tif 000003
【図２】
2004031315.tif 000004
【図３】
2004031315.tif 000005
【図４】
2004031315.tif 000006
【図５】
2004031315.tif 000007
【図６】
2004031315.tif 000008
【図７】
2004031315.tif 000009
【図８】
2004031315.tif 000010
【図９】
2004031315.tif 000011
【図１０】
2004031315.tif 000012
【図１１】
2004031315.tif 000013
【図１２】
2004031315.tif 000014
【図１３】
2004031315.tif 000015
【図１４】
2004031315.tif 000016
【図１５】
2004031315.tif 000017
【図１６】
2004031315.tif 000018
【図１７】
2004031315.tif 000019
【図１８】
2004031315.tif 000020
【図１９】
2004031315.tif 000021
【図２０】
2004031315.tif 000022